(57)【要約】雰囲気調整剤が包装袋の投入部から漏れることがなく、コストの低減、製造の簡略化を図ることができ、さらに高温下でも使用可能になる包装袋を提供する。包装袋は、雰囲気調整剤が投入された投入部である上辺部を有する。上辺部は、表面と裏面の包装材の端部の位置がずれており、その相対的に突出した一の端部が他の端部の外側に折り返され溶着されて形成されている。
2017061219.tif 000002
【特許請求の範囲】
【請求項１】
雰囲気調整剤が収容された包装袋であって、
雰囲気調整剤が投入された投入部を有し、
前記投入部は、表面と裏面の包装材の端部の位置がずれ、その相対的に突出した一の端部が他の端部の外側に折り返された状態で溶着されている、包装袋。
【請求項２】
前記投入部に対向する対向部は、包装材が折り返された状態で形成されている、請求項１に記載の包装袋。
【請求項３】
前記投入部における位置のずれた表裏の包装材の端部は、それぞれが材質の異なる複数層から構成されており、前記一の端部の内層と前記他の端部の外層の異なる材質の層同士が溶着されている、請求項１又は２に記載の包装袋。
【発明の詳細な説明】
【技術分野】
【０００１】
本出願は、２０１５年１０月９日に出願された日本特許出願番号２０１５−２０１４９５に基づくもので、ここにその記載内容を援用する。【０００２】
本発明は、脱酸素剤、乾燥剤などの雰囲気調整剤が収容された包装袋に関する。
【背景技術】
【０００３】
脱酸素剤や乾燥剤などの雰囲気調整剤は、通常方形の包装袋に収容されて用いられる。この包装袋は、通常ロータリー式三方シール製袋充填包装機を用いて製造される。この包装機では、包装袋を構成する包装材を袋状にし、その袋の残りの一辺（投入辺）の開口部からノズルを挿入し、そのノズルから包装袋内に雰囲気調整剤を投入し、その後その投入辺を溶着しシールして包装袋を形成している。【０００４】
しかし、上記方法によれば、包装袋の投入辺から投入した粉体状の雰囲気調整剤が、後に溶着される投入辺のシール部にも付着する恐れがある。この場合、その投入辺をシールした際に、雰囲気調整剤が、投入辺の包装材の間のシール部内に入り込むことがある。そうすると、包装袋の外観上好ましくないうえに、シール部に挟まった雰囲気調整剤が外部に漏れる恐れがあることからも好ましくはない。【０００５】
そこで、包装袋の投入辺を粘着テープで覆うことが提案されている（特許文献１参照）。
【先行技術文献】
【特許文献】
【０００６】
【特許文献１】特開２０１３−１０７６８２号公報
【発明の概要】
【発明が解決しようとする課題】
【０００７】
しかしながら、この方法によれば、包装材とは別部材の粘着テープを用意し、その粘着テープを包装袋の投入辺に貼り付ける工程が必要となるため、その分コストがかかり、製造工程も煩雑になる。さらに、殺菌などのため包装袋を高温で熱処理する必要がある場合には、温度によっては粘着テープの溶剤が溶け出すことも想定され、使用可能温度が限定されてしまう。【０００８】
本出願は、かかる点に鑑みてなされたものであり、脱酸素剤や乾燥剤などの雰囲気調整剤が投入部から漏れることがなく、さらにコストの低減、製造の簡略化を図ることができ、高温下でも使用可能な包装袋を提供することができる。
【課題を解決するための手段】
【０００９】
本発明者らは、包装袋の投入辺における表裏の包装材の端部の位置をずらし、突出した一の端部を他の端部の外側に折り返して溶着することにより、上記課題を解決できることを見出し、本発明を完成するに至った。
即ち、本発明の態様は以下を含む。
（１）雰囲気調整剤が収容された包装袋であって、雰囲気調整剤が投入された投入部を有し、前記投入部は、表面と裏面の包装材の端部の位置がずれており、その相対的に突出した一の端部が他の端部の外側に折り返された状態で溶着されている、包装袋。
（２）前記投入部に対向する対向部は、包装材が折り返された状態で形成されている、（１）に記載の包装袋。
（３）前記投入部における位置のずれた表裏の包装材の端部は、それぞれが材質の異なる複数層から構成されており、前記一の端部の内層と前記他の端部の外層の異なる材質の層同士が溶着されている、（１）又は（２）に記載の包装袋。
【発明の効果】
【００１０】
本発明によれば、脱酸素剤や乾燥剤などの雰囲気調整剤の包装袋において、雰囲気調整剤が包装袋の投入部から漏れることがなく、コストの低減、製造の簡略化を図ることができ、さらに高温下でも使用可能になる。本発明の雰囲気調整剤の包装体を用いることで、食品及び医薬品等の物品を汚染することなく、物品の鮮度及び品質を保持することが可能となる。
【図面の簡単な説明】
【００１１】
【図１】（ａ）は包装袋の正面図であり、（ｂ）は包装袋の側面図である。
【図２】投入辺の片側の端部を折り返す様子を示す包装袋の断面図である。
【図３】別態様の包装袋の断面図である。
【図４】包装材を折って下辺を形成する工程を示す説明図である。
【図５】包装材の左右辺を溶着する工程を示す説明図である。
【図６】３辺が閉鎖した包装材にノズルを入れて雰囲気調整剤を導入する工程を示す説明図である。
【図７】投入辺の端部を折り返す工程を示す説明図である。
【図８】検知剤を取り付けた包装袋を示す説明図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
図１（ａ）は、本実施の形態における包装袋１の構成の概略を示す正面図であり、図１（ｂ）は、包装袋１の側面図である。なお、本願明細書において、包装袋１の雰囲気調整剤の投入辺側（図１、図２の上側）を上側とする。本願明細書において、「雰囲気調整剤」とは、脱酸素剤や乾燥剤など周囲の雰囲気を調整するものである。脱酸素剤の代表的な製品としては、エージレス（登録商標、三菱ガス化学株式会社製）が知られている。
【００１４】
図１（ａ）、（ｂ）に示すように包装袋１は、例えば方形の袋状に形成され、内部に雰囲気調整剤Ａが収容されている。
【００１５】
包装袋１の下辺部２０は、包装材３０を折り返すことにより形成されている。すなわち、下辺部２０には、不連続な切れ目がなく、その下縁が例えば円弧状に湾曲している。
【００１６】
包装袋１の左辺部２１及び右辺部２２は、表面３１と裏面３２の包装材３０同士を溶着することにより形成されている。
【００１７】
雰囲気調整剤Ａが投入された投入部としての上辺部２３は、図２に示すように包装材３０の表面３１と裏面３２のそれぞれの端部３１ａ、３２ａの位置が上下にずれており、その相対的に突出した裏面側の端部３２ａが表面側の端部３１ａの外側に折り返され溶着されて形成されている。
【００１８】
包装材３０は、１枚のフィルムを用いることも出来るし、２枚以上のフィルムを重ね合せた状態（シール部以外は接着していない）で用いることもできる。上記フィルムには単層フィルムや、異なる材質からなる２層以上の多層フィルムを用いることができる。図２には包装材３０の表面３１及び裏面３２のそれぞれに、２枚の２層フィルム３３、３４を重ね合せて用いる場合を示している。外側フィルム３３は２層構造を有し、第１の材料としての例えばポリエチレンからなる内層４０と、第２の材料としての例えばポリエチレンテレフタレートやナイロン等の第１の材料より融点の高い材料からなる外層４１を有している。第１の材料である内層４０は、ヒートシール性を有する材料を使用することができる。ヒートシール性を有する材料とは、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂からなる１種以上のフィルムもしくはシートまたは塗布膜などを使用することができる。
【００１９】
内側フィルム３４は、第３の材料としての例えば紙や不織布を有する層４２と第１の材料と同じくヒートシール性を有する材料である層４３を有している。本実施の形態では、外側フィルム３３が内側フィルム３４より長く、包装材３０の裏面３２の端部３２ａは、外側フィルム３３だけで形成されている。包装材３０の裏面３２の端部３２ａが、表面３１の端部３１ａ側に折り返され、互いに材質が異なる端部３２ａの内層４０の内側面と端部３１ａの外層４１の外側面が溶着されている。
【００２０】
図２では、端部３２ａは外側フィルム３３のみから構成されているが、端部３２ａは、外側フィルム３３と内側フィルム３４の両方を含む一枚の多層フィルムであってもよい。つまり、端部３２ａは、２枚の２層フィルムからなる外側フィルム３３と内側フィルム３４から構成されているのではなく、１枚の４層フィルムから構成されていてもよい。図３は、端部３２ａが１枚の４層フィルムから構成されている場合を示している。この場合は、端部３２ａの層４３の内側面と端部３１ａの層４１の外側面が溶着されている
【００２１】
ここで、包装袋１の製造方法の一例について説明する。先ず図４に示すように長方形状の包装材３０が折り返される。このとき、包装材３０は、中央で折り返されず、最上部に裏面３２の端部３２ａとなる折り返し部が残るように折り返される。すなわち、包装材３０の中央線から表面３１側（図４の下側）に折り返し線をずらした状態で表面３１側を裏面３２側に折り返し、裏面３２の最上部に端部３２ａを露出させる。こうして下端に下辺部２０が形成される。なお、このとき、包装材３０の内側には、予め内層フィルム３４が配置されている。次に、図５に示すように左右端部が溶着され、左辺部２１と右辺部２２が形成される。こうして、上辺部２３が開口し他の三辺（下辺部２０、左辺部２１及び右辺部２２）が封鎖された袋が形成される。次に、図６に示すように例えばノズルＢが上辺部２３の開口から挿入され、袋の内部に雰囲気調整剤Ａが噴出され、充填される。その後、図７に示すように上辺部２３の裏面３２の端部３２ａが表面３１の端部３１ａの外側に折り返され、端部３２ａと端部３１ａが溶着される。こうして、図１及び図２に示すような、４辺が封鎖され、内部に雰囲気調整剤Ａが収容された包装袋１が完成する。
【００２２】
本実施の形態によれば、雰囲気調整剤Ａが投入された投入部としての上辺部２３が、表面３１と裏面３２の包装材３０の端部３１ａ、３２ａの位置がずれており、その相対的に突出した一の端部３２ａが他の端部３１ａの外側に折り返され溶着されて形成されているので、内部の雰囲気調整剤Ａが上辺部２３から漏れることがない。そして、一の端部３２ａを他の端部３１ａの外側に折り返して溶着したので、粘着テープのような別部材も必要としないので、コストもかからず、また製造工程も簡略化できる。さらに粘着テープを使用しないため、高温下でも使用可能になる。
【００２３】
さらに、包装材３０の裏面３２の端部３２ａが表面３１の端部３１ａの外側に折り返されて溶着しているので、上辺部２３が、表面側から、裏面３２の端部３２ａ、表面３１の端部３１ａ及び裏面３２の端部３２ａの３重になっており、その部分の強度が上がる。この結果、包装袋１が雰囲気調整剤の投入部から破損することや、変形することが抑制され、内部の雰囲気調整剤Ａが漏れることを防止できる。また、包装袋１を開封し難くなるので、誤って開封し、内部の雰囲気調整剤Ａが誤飲されるようなことも抑制できる。
【００２４】
また、包装３０の裏面３２の端部３２ａを表面３１の端部３１ａ側に折り返しているので、その際に他の部材を挟み込んで、当該部材を包装袋１に取り付けることができる。例えば図８に示すように包装袋１と併用する酸素検知剤や湿気検知剤などの検知剤５０を、端部３２ａと端部３１ａとの間に挟み込んで、包装袋１に取り付けることができる。
【００２５】
また、本実施の形態によれば、包装袋１の投入部である上辺部２３と対向する対向部となる下辺部２０が、包装材３０が折り返されて形成されている。これにより、対向する上辺部２３と下辺部２０の両方の端縁に切れ目がなく円弧状に湾曲しているので、例えば包装袋１を、袋の開口からその中に入れるなどの狭いところを通すときに包装袋１が引っ掛からず、取扱い性が向上する。
【００２６】
以上、添付図面を参照しながら本発明の好ましい実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２７】
以上の実施の形態では、包装袋１が方形であったが、三角形など他の形状を有するものであってもよい。また包装袋１の投入部は一箇所に限られず複数個所にあってもよい。また、包装袋１の層構造は、上記実施の形態のものに限られず、公知の他の層構造のものにも本発明は適用できる。また、上記包装袋１の製造方法は一例にすぎず、他の製造方法を用いてもよい。例えば本発明は、包装袋１が一つずつ作られる場合のみならず、複数の包装袋１がまとめて作られるものにも適用できる。
【産業上の利用可能性】
【００２８】
本発明は、雰囲気調整剤が包装袋の投入部から漏れることがなく、コストの低減、製造の簡略化を図ることができ、さらに高温下でも使用可能になる包装袋を提供する際に有用である。
【符号の説明】
【００２９】
１  包装袋
２０  下辺部
２１  左辺部
２２  右辺部
２３  上辺部
３０  包装材
３１  表面
３１ａ  端部
３２  裏面
３２ａ  端部
Ａ  雰囲気調整剤
【図１】
2017061219.tif 000003
【図２】
2017061219.tif 000004
【図３】
2017061219.tif 000005
【図４】
2017061219.tif 000006
【図５】
2017061219.tif 000007
【図６】
2017061219.tif 000008
【図７】
2017061219.tif 000009
【図８】
2017061219.tif 000010
【国際調査報告】
2017061219.tif 000011
2017061219.tif 000012
2017061219.tif 000013
2017061219.tif 000014